(57)【要約】　　　（修正有）【課題】 光ファイバーを伝播する事により生じた光の色分散を補償する【解決手段】「逆分散」を光に加える装置。装置は、バーチャル・イメージ・フェーズ・アレイ（ＶＩＰＡ）及び光返送装置を備える。光返送装置は、一般的にはミラーである。ＶＩＰＡは光に角分散を与え、光返送装置は、ＶＩＰＡ内で多重反射を受けるように、光をＶＩＰＡに戻す。【選択図】　　　図１４
2004093561.tif 000002
【特許請求の範囲】
【請求項１】
入力光を受光し、自身から伝播する、対応する出力光を生成するバーチャル・イメージ・フェーズ・アレイ（ＶＩＰＡ）生成装置と、
　前記出力光を前記ＶＩＰＡ生成装置に戻す光返送装置を備え、
　前記光返送装置は、
　ミラーと、
　前記ミラーが前記出力光を反射し、前記反射された出力光は、レンズによって、前記ＶＩＰＡ生成装置に戻るように方向づけられるように、前記ミラー上に前記出力光を集束する前記レンズを備える事を特徴とする装置。
【発明の詳細な説明】
【関連する発明の参照】
【０００１】
この出願は、ここに添付する出願日１９９６年７月２４日、米国出願番号０８／６８５，３６２の部分継続出願（ＣＩＰ）である。
【０００２】
この出願は、ここに添付する日本出願日１９９５年７月２６日、日本出願番号０７−１９０５３５に基づく優先権主張を伴う。
【技術分野】
【０００３】
本発明は、色分散を生成する装置であって、光ファイバー送信網において蓄積する色分散を補償するするために用いる装置に係わる。より具体的には、本発明は、バーチャル・イメージ・フェーズ・アレイを色分散を生成するために用いる装置に係わる。
【背景技術】
【０００４】
図１（Ａ）は、光を介して情報を送信するための従来のファイバー光通信システムを示す図である。図１（Ａ）に示すように、送信器３０は、パルス３２を光ファイバー３４を介して受光器３６に送出する。しかし、「波長分散」ともいわれる、光ファイバー３４の色分散は、システムの信号の質を劣化させる。より具体的には、色分散の結果、光ファイバーの信号の伝播速度はその信号の波長に依存する。例えば、（例えば、「赤」色パルスを示す波長を持つパルス）長い波長を持つパルスが、（例えば、「青」色パルスを示す波長を持つパルス）短い波長を持つパルスよりも速く伝播するとき、一般に「正常」分散という。逆に、（例えば、青色パルスのような）短い波長を持つパルスが、（例えば、赤色パルスのような）長い波長を持つパルスよりも速く伝播するとき、一般に「異常」分散という。
【０００５】
従って、パルス３２が赤色および青色パルスを含む場合で、送信器３０から送出される場合、パルス３２は光ファイバー３４を介して伝播する時に分かれて、分離された赤色パルス３８および青色パルス４０が、異なる時間に受光器３６によって受光される。図１（Ａ）は、「正常」分散の場合を示す。ここで、赤色パルスは、青色パルスよりも速く伝播する。
【０００６】
パルス送信の他の例として、図１（Ｂ）は、青から赤へ連続する波長成分を持ち、送信器３０によって送出されるパルス４２を示す図である。図１（Ｃ）は、受光器３６に到達したときのパルス４２を示す図である。赤色成分及び青色成分は、異なる速度で伝播するため、パルス４２は、光ファイバー３４内で広げられ、図１（Ｃ）に示すように、色分散によってひずむ。全てのパルスは有限の波長領域を含むため、このような色分散はファイバー光通信システムにおいて、大変よく起こることである。
【０００７】
従って、ファイバー光通信システムについて、高送信能力を得るために、ファイバー光通信システムは、色分散を補償する事が必要となる。
【０００８】
図２は、色分散を補償するために、逆分散コンポーネントを持つファイバー光通信システムを示す図である。図２に示すように、一般に、逆分散コンポーネント４４は、光ファイバー３４を介して伝播することにより生じる分散を打ち消すために、「逆」分散をパルスに与える。
【０００９】
逆分散コンポーネント４４として用いる事が可能な従来の装置は存在する。例えば、図３は、色分散を補償するために、特定の断面インデックスプロファイルを持つ分散補償ファイバーを持ち、それにより逆分散コンポーネントとして動作する、ファイバー光通信システムを示す図である。図３に示すように、色分散補償ファイバー４６は、光ファイバー３４によって生じた分散を打ち消すために逆分散を与える。しかし、分散補償ファイバーは、製造するのに高価であり、また、十分に色分散を補償するために比較的長い必要がある。例えば、光ファイバー３４が１００ｋｍの長さである場合、分散補償ファイバー４６は、約２０から３０ｋｍであるべきである。
【００１０】
図４は、色分散を補償するために、逆分散コンポーネントとして用いるチャープ格子を示す図である。図４に示すように、光ファイバーを介して伝播し、色分散された光は、光サーキュレーター５０の入力ポート４８に供給される。サーキュレーター５０は、光をチャープ格子５２へ供給する。チャープ格子５２は、異なる波長成分はチャープ格子について異なる距離で、異なる波長成分は異なる距離を伝播し、それにより、色分散を補償することができるように、光をサーキュレーター５０に戻るように反射する。例えば、チャープ格子５２は、長い波長成分はチャープ格子について遠い距離で反射され、それにより、短い波長よりも長い距離を伝播するように設計する事が可能である。サーキュレーター５０は、その後、チャープ格子５２から出力ポート５２へ反射された光を供給する。従って、チャープ格子５２は、パルスに逆分散を加える事ができる。
【００１１】
しかし、チャープ格子は、反射するパルスについて、大変狭い帯域しか持たない。従って、波長分割多重光のような多くの波長を含む光を補償するために十分な波長帯域を得る事ができない。たくさんのチャープ格子を、波長多重信号について、カスケードさせることは可能である。しかし、この結果、システムが高価になる。代わりに、図４に示すような、サーキュレーター組み合わせたチャープ格子が、ファイバー光通信システムを介して１つのチャネルが送出される場合に用いるためには、ふさわしい。
【００１２】
図５は、色分散を生成するために用いる事ができる、従来の回折格子を示す図である。図５に示すように、回折格子５６は、格子面５８を持つ。異なる波長を持つ平行光６０は、格子面５８に入射する。光は、格子面５８の各段で反射され、互いに干渉する。その結果、異なる波長を持つ光６２、６４及び６６は回折格子５６から異なる角度で出力される。回折格子は、色分散を補償するために、以下でより詳しく述べる、空間格子対配列で用いる事ができる。
【００１３】
より詳しくは、図６（Ａ）は、色分散を補償するために、逆分散コンポーネントとして用いる空間格子対配列を示す図である。図６（Ａ）に示すように、光６７は、第一の回折格子６８から回折され、短い波長についての光６９及び長い波長についての光７０になる．これら光６９及び７０は、その後、第二の回折格子７１により回折され、同じ方向に伝播する光になる。図６（Ａ）に示すように、逆分散を加えるために、異なる波長を持つ波長成分は異なる距離を伝播し、それにより、色分散を補償する。（光７０のような）長い波長は、（光６９のような）短い波長よりも長い距離を伝播するので、図６（Ａ）に示す空間格子対配列は、異常分散を持つ。
【００１４】
図６（Ｂ）は、色分散を補償するために、逆分散コンポーネントとして用いる他の空間格子対配列を示す図である。図６（Ｂ）に示すように、レンズ７２および７４は、焦点の１つを共有するように、第一及び第二の回折格子６８および７１の間に位置する。（光７０のような）長い波長は、（光６９のような）短い波長よりも短い距離を伝播するので、図６（Ｂ）に示す空間格子対配列は、正常分散を持つ。
【００１５】
図６（Ａ）及び図６（Ｂ）に示すような空間格子対配列は、一般に、レーザー共振器で分散を制御するために用いられる。しかし、実際の空間格子対配列は、ファイバー光通信システムにおいて生じる比較的大きな量の色分散を補償するために十分大きな分散を与える事ができない。より具体的には、回折格子によって生じる角分散は、普通、極端に小さく、一般に約０．０５度／ｎｍである。従って、ファイバー光通信システムにおいて生じる色分散を補償するためには、第一及び第二の回折格子６８および７１は、大きな距離を隔てていなければならない事になり、このことにより、そのような空間格子対配列は、実用的ではないことになる。
【発明の開示】
【発明が解決しようとする課題】
【００１６】
従って、本発明の目的は、色分散を生じる装置であって、光ファイバーで蓄積された色分散を補償するために実用的な装置を提供する事である。
【課題を解決するための手段】
【００１７】
本発明の目的は、ここで、「バーチャル・イメージ・フェーズ・アレイ」または「ＶＩＰＡ」という、装置を備える装置を提供する事により、達成される。ＶＩＰＡは、上記ＶＩＰＡから伝播する光を生成する。上記装置はまた、上記ＶＩＰＡ内で多重反射を受けるように、上記ＶＩＰＡに光を戻す光返送装置を備える。
【００１８】
上記光返送装置は、各々干渉次数を持つ光を上記ＶＩＰＡに戻し、他の干渉次数を持つ光を上記ＶＩＰＡに戻さないように、配列することができる。
【００１９】
本発明の目的は、また、連続する波長領域内の波長を持つ入力光を受光し、連続的に対応する出力光を生成するＶＩＰＡを備える装置を提供する事により、達成される。出力光は、上記連続する波長領域内の他の波長を持つ入力光に対して形成された出力光と空間的に判別可能である（例えば、異なる方向に伝播する）。上記出力光が、伝播角度によって判別可能である場合、上記装置は角度分散を持つ。
【００２０】
さらに、本発明の目的は、ＶＩＰＡと光返送装置を備える装置を提供する事により、達成される。ここで、上記ＶＩＰＡは、通過領域と透過性部材を備える。上記通過領域は、上記ＶＩＰＡ内に光を受光し、前記ＶＩＰＡから光を出力する事を可能にする。上記透過性部材は、第一及び第二の表面を持ち、上記第二の表面は、入射してきた光の一部を透過する事ができるような反射率を持つ。入力光は、上記通過領域を介して上記ＶＩＰＡに受光され、第二の表面を介して複数の光が送出されるように、上記透過性部材内、上記第一及び第二の表面の間で複数回反射される。複数の送出された光は、互いに干渉して出力光を生成する。上記入力光は、連続する波長領域内の波長であり、上記出力光は、上記連続する波長領域内の他の波長を持つ入力光に対して形成された出力光と空間的に判別可能である。上記出力光が、上記ＶＩＰＡ内で多重反射を受け、その後、上記ＶＩＰＡの通過領域から上記入力パスへ出力されるように、上記光返送装置は、上記出力光を上記第二の表面へ、正確に反対の方向に戻し、上記ＶＩＰＡ内に上記第二の表面を透過させる。
【００２１】
さらに、本発明の目的は、上記入力光と同じ波長で、異なる干渉次数を持つ複数の出力光を生成するＶＩＰＡを備える装置を提供する事により、達成される。上記装置は、また、上記ＶＩＰＡへ上記干渉次数の１つ内の上記出力光を戻し、他の出力光を戻さない光返送装置を備える。このように、１つの干渉次数に対応する光のみを上記ＶＩＰＡに戻す。
【発明を実施するための最良の形態】
【００２２】
添付の図面に示す例を参照しながら、本発明の実施例を詳細に述べる。ここで、同じ要素は、同じ参照番号で示されている。
【００２３】
図７は、本発明の一実施例に係わる、バーチャル・イメージ・フェーズ・アレイ（ＶＩＰＡ）を示す図である。以下、「バーチャル・イメージ・フェーズ・アレイ」もしくは「ＶＩＰＡ」という用語は、互いに置き換えて使用する。
【００２４】
　図７に示すように、ＶＩＰＡ７６は、ガラスの薄い板でできていることが望ましい。入力光７７がＶＩＰＡ７６中を進むように、入力光７７は、半円柱レンズのようなレンズ８０によってライン７８上に集束される。以下、ライン７８は、「焦点線７８」と示す。入力光７７は、焦点線７８から放射状に伝播して、ＶＩＰＡ７６内部に受光される。その後、ＶＩＰＡ７６は、コリメートされた光の光束８２を出力する。ここで、光束７８の出力角度は、入力光７７の波長が変化するにつれ、変化する。例えば、入力光７７が波長λ１である場合、ＶＩＰＡ７６は、特定の方向に波長λ１で光束８２ａを出力する。入力光７７が波長λ２である場合、ＶＩＰＡ７６は、異なった方向に波長λ２で光束８２ｂを出力する。従って、ＶＩＰＡ７６は、互いに空間的に判別可能な光束８２ａ及び８２ｂを生成する。
【００２５】
図８は、本発明の一実施例に係わるＶＩＰＡ７６の詳細を示す図である。図８に示すように、ＶＩＰＡ７６は、例えば、ガラス製の、表面上に反射フィルム１２２および１２４を持つプレート１２０を備える。反射フィルム１２２は、約９５％もしくはそれ以上だが、１００％より小さな反射率を持つ事が望ましい。反射フィルム１２４は、約１００％の反射率を持つ事が望ましい。照射窓１２６は、プレート１２０上に形成され、約０％の反射率を持つ事が望ましい。
【００２６】
入力光７７は、照射窓１２６を介して焦点線７８にレンズ８０によって集束され、反射フィルム１２２及び１２４の間で多重反射を受ける。焦点線７８は、反射フィルム１２２が設けられたのと同じプレート１２０の表面上にある事が望ましい。このように、焦点線７８は、照射窓１２６を介して反射フィルム１２２上に実質的に線集束される。
【００２７】
　レンズ８０により集束されたときの焦点線７８の幅は、入力光７７の「ビームウェスト」という。このように、図８に示される本発明の実施例は、入力光７７のビームウェストをプレート１２０の遠い方の表面（つまり、その上に反射フィルム１２２を持つ表面）上に集束させる。ビームウェストをプレート１２０の遠い方の表面上に集束することにより、本発明の本実施例は、（ｉ）入力光７７が照射窓１２６を通過する際に、入力光７７によりカバーされた、プレート１２０の表面上の照射窓１２６の領域（以下により詳細に述べる、例えば、図１１に示す領域「ａ」）と、（ｉｉ）入力光７７が最初に反射フィルム１２４により反射された時、入力光７７によりカバーされた反射フィルム１２４上の領域（以下により詳細に述べる、例えば、図１１に示す領域「ｂ」）との間の重複の可能性を減少することができる。ＶＩＰＡの適当な動作を確実にする為に、そのような重複は減少させることが望ましい。
【００２８】
　図８において、入力光７７の光軸１３２は、小さな傾斜角度θを持つ。反射フィルム１２２の最初の反射の後、光の５％は反射フィルム１２２を通過して、ビームウェストの後は広がり、光の９５％は、反射フィルム１２４に向かって反射される。最初に反射フィルム１２４によって反射された後、光は再び反射フィルム１２２にぶつかるが、ｄだけずれる。その後、光の５％は反射フィルム１２２を通過する。同様にして、図８に示すように、一定の間隔ｄで、光は多くのパスに分かれる。各々のパスのビーム形は、ビームウェスト１２９の虚像１３４から光が広がるようになる。虚像１３４は、プレート１２０に対して法線である直線状にそって、一定の間隔２ｔで配置される。ここで、ｔはプレート１２０の厚さである。虚像１３４でビームウェストの位置は、自己整列し、位置を調節する必要はない。その後、虚像１３４から広がる光は、互いに干渉し、入力光１２８の波長に従って変化する方向に伝播する、コリメートされた光１３６を形成する。
【００２９】
　光のパスの間隔はｄ＝２ｔＳｉｎθであり、隣接したビームとの間のパスの長の差は、２ｔＣｏｓθである。角分散はこれら２つの数字の比に比例し、ｃｏｔθである。この結果、本発明の実施例は、大変大きな角分散を生成する。
【００３０】
　上述のように、本発明の実施例は、「バーチャル・イメージ・フェーズ・アレイ」という。先に図８から容易に分かるように、「バーチャル・イメージ・フェーズ・アレイ」という語は、虚像（バーチャル・イメージ）１３４の配列（アレイ）の形成を起源とする。
【００３１】
　図９は、本発明の実施例に係わる図７で示すＶＩＰＡ７６のＩＸ−ＩＸ線にそった横断面図である。図９に示すように、プレート１２０は、反射面１２２及び１２４を表面上にもつ。反射面１２２及び１２４は、互いに平行であり、プレート１２０の厚さｔで隔てられている。反射面１２２及び１２４は、一般的にプレート１２０上に付着している反射フィルムである。先に延べたように、反射面１２４は、照射窓１２６以外において、約１００％の反射率を持つ。反射面１２２は、約９５％もしくはそれ以上の反射率を持つ。従って、反射面１２２上に入射した光の約５％もしくはそれ以下は透過され、光の約９５％もしくはそれ以上は反射されるように、反射面１２２は約５％もしくはそれ以下の透過率を持つ。
【００３２】
　反射面１２２及び１２４の反射率は、ＶＩＰＡを特殊に応用することによって容易に変えることができる。しかし、一般に反射面１２２は、入射光の一部が透過できるように１００％より小さい値の反射率を持つ必要がある。
【００３３】
　反射面１２４は、その表面上に照射窓１２４を持つ。照射窓１２６は光を透過させ、なるべく反射がない、もしくは、大変低い反射率を持つ。入力光７７が反射面１２２及び１２４の間で受光され、反射されるように、照射窓１２６は入力光７７を受光する。
【００３４】
　図９は、図７のＩＸ−ＩＸ線にそった横断面を示す為、図７の焦点線７８は図９において「点」として見える。入力光７７はその後放射状に焦点線７８から伝播する。さらに、図９に示すように、焦点線７８は反射面１２２上に位置する。焦点線７８が反射面１２２上にあることは必要ではないが、焦点線７８の配置の変化は、ＶＩＰＡ７６の特性に小さな変化しか起こさない。
【００３５】
　図９に示すように、入力光７７は照射窓１２６の領域Ａ０を介して、プレート１２０に入る。ここで、点Ｐ０は領域Ａ０の周辺の点を示す。
【００３６】
　反射面１２２の反射能のため、入力光７７の約９５％もしくはそれ以上は、反射面１２２によって反射され、反射面１２４の領域Ａ１に入射する。点Ｐ１は、領域Ａ１の周辺の点を示す。反射面１２４上の領域Ａ１で反射した後、入力光７７は反射面１２２へ進み、反射面１２２を介して、光線Ｒ１によって定義される透過光Ｏｕｔ１として一部が送出される。こうして、図９に示すように、入力光７７は反射面１２２と１２４の間で多重反射する。ここで、反射面１２２の各々の反射光は、また、反射面１２２を透過する各透過光となる。従って、例えば、入力光７７は反射面８８上の領域Ａ２、Ａ３及びＡ４で反射して、各々透過光Ｏｕｔ２、Ｏｕｔ３及びＯｕｔ４を生成する。点Ｐ２は領域Ａ２の周辺の点を示し、点Ｐ３は、領域Ａ３の周辺の点を示し、点Ｐ４は、領域Ａ４の周辺の点を示す。透過光Ｏｕｔ２は、光線Ｒ２で定義され、透過光Ｏｕｔ３は、光線Ｒ３で定義され、透過光Ｏｕｔ３は、光線Ｒ３で定義される。図９において、透過光Ｏｕｔ１、Ｏｕｔ２、Ｏｕｔ３及びＯｕｔ４しか示されていないが、実際には、入力光７７のパワーと反射面１２２及び１２４の反射率に依存して、もっと多くの透過光が存在することが可能である。以下により詳しく述べるように、入力光７７の波長に従って方向が変化する光束を生成する為に、出力光は互いに干渉する。
【００３７】
　図１０は、本発明の一実施例に係わるＶＩＰＡによって生成される反射光間での干渉を示す図である。図１０に示すように、焦点線７８から進む光は、反射面１２４によって反射される。上述のように、反射面１２４は約１００％の反射率を持ち、ゆえに本質的に鏡のように機能する。結果として、透過光Ｏｕｔ１は、反射面１２２と１２４は存在せず、その代わりに、透過光Ｏｕｔ１は焦点線Ｉ１から放射されたかのように、光学的に分析することが可能である。同様に、透過光Ｏｕｔ２、Ｏｕｔ３及びＯｕｔ４は、各々焦点線Ｉ２、Ｉ３及びＩ４から放射されたかのように、光学的に分析することが可能である。焦点線Ｉ２、Ｉ３及びＩ４は、焦点線Ｉ０の虚像である。
【００３８】
　従って、図１０に示すように、焦点線Ｉ１は焦点線Ｉ０から距離２ｔ隔てている。ここで、ｔは反射面１２２と１２４間の距離に等しい。同様に、各々のその後に続く焦点線は、すぐ前の焦点線から距離２ｔ隔てている。このように、焦点線Ｉ２は焦点線Ｉ１から距離２ｔ隔てている。さらに、各々のその後に続く、反射面１２２と１２４の間の多重反射は、先の透過光よりも強度が弱い透過光を生成する。従って、透過光Ｏｕｔ２は透過光Ｏｕｔ１よりも強度が弱い。
【００３９】
　図１０に示すように、焦点線からの透過光は互いに重複し、干渉する。この干渉は入力光７７の波長に依存する特定の方向に進む光束を生成する。
【００４０】
　上述の本発明の実施例に係わるＶＩＰＡは、ＶＩＰＡの設計の特徴である強め合い条件を持つ。強め合い条件は、光束が形成されるように、透過光の干渉を増大する。ＶＩＰＡの強め合い条件は次の式（１）で表される。
【００４１】
　　２ｔ　×　ｃｏｓθ　＝　ｍλ
　ここで、θは、反射面１２２及び１２４に垂直な線から測定した、結果として得られる光束の伝播方向を、λは入力光の波長を、ｔは反射面１２２と１２４の間の距離を、ｍは整数を示す。
【００４２】
　従って、もしｔが定数で、ｍに特定の値が与えられる場合、波長λを持つ入力光について形成された、光束の伝播方向は決定される。
【００４３】
　より具体的には、入力光７７は、特定の角度を介して、放射状に焦点線７８から分散する。従って、同じ波長を持つ入力光は、焦点線７８から多数の異なる方向に進み、反射面１２２と１２４の間で反射される。ＶＩＰＡの強め合い条件は、入力光の波長に対応する方向を持つ光束を形成するために、特定の方向に進む光を透過光の干渉を介して増強させる。強め合い条件により必要とされる特定の方向以外の異なる方向に進む光は、透過光の干渉により弱められる。
【００４４】
　図１１は、図７で示すＶＩＰＡのＩＸ−ＩＸ線にそった横断面を示す図であり、本発明の一実施例に係わる入力光の入射角度もしくは傾斜角度の決定についてのＶＩＰＡの特徴を示す。
【００４５】
　図１１に示すように、入力光７７は、円柱レンズ（不図示）により集光され、焦点線７８に集束される。図１１に示すように、入力光７７は、照射窓１２６上の「ａ」に等しい幅を持つ領域をカバーする。入力光７７は反射面１２２から一度反射した後、入力光７７は反射面１２４上に入射し、反射面１２４上の「ｂ」に等しい幅を持つ領域をカバーする。さらに、図１１に示すように、入力光７７は、反射面１２２の法線に関して傾斜角度θ１である、光軸１３２にそって進む。
【００４６】
　反射面１２２により一度反射された後に、入力光７７が照射窓１２６の外に漏れ出ないように、傾斜角度θ１は設定されるべきである。つまり、傾斜角度θ１は、入力光７７が反射面１２２と１２４の間に「トラップ」されたままで、照射窓１２６を通って逃れることができないように、設定されるべきである。従って、入力光７７が、照射窓１２６から外に漏れ出ることのないように、傾斜角度θ１は、次の式（２）に従って決定されるべきである。
【００４７】
　光軸θ１の傾斜　≧　（ａ＋ｂ）／４ｔ
　従って、図７から図１１に示すように、本発明の実施例は、連続する波長領域内の各々の波長を持つ入力光を受光する、ＶＩＰＡを備える。ＶＩＰＡは、入力光の多重反射によって自己干渉を生じさせ、それにより出力光を形成させる。出力光は、連続する波長領域内の他の波長を持つ入力光について形成された出力光と、空間的に判別可能である。例えば、図９は、反射面１２２と１２４の間で多重反射される入力光７７を示す。この多重反射は、入力光７７の各波長に対して空間的に判別可能な光束を生成するように、互いに干渉する複数の透過光Ｏｕｔ０、Ｏｕｔ１、Ｏｕｔ２、Ｏｕｔ３及びＯｕｔ４を生成する。
【００４８】
　「自己干渉」は、同じ源から生ずる複数の光またはビームの間で起こる干渉を示す用語である。従って、透過光Ｏｕｔ０、Ｏｕｔ１、Ｏｕｔ２、Ｏｕｔ３及びＯｕｔ４は、全て同じ源（つまり、入力光７７）から生じている為、透過光Ｏｕｔ０、Ｏｕｔ１、Ｏｕｔ２、Ｏｕｔ３及びＯｕｔ４の干渉は、入力光７７の自己干渉という。
【００４９】
　上述の本発明の実施例によると、入力光は、連続する波長領域内のどの波長であってもよい。このように、入力光は、離散した値の範囲から選ばれた値の波長に限定されない。さらに、上述の本発明の実施例によると、連続する波長範囲内の異なる波長の入力光である場合に生成される出力光と、連続する波長領域内の特定の波長の入力光について生成された出力光は、空間的に判別可能である。従って、例えば、図７に示すように、入力光７７が連続する波長領域内で異なる波長の場合、光束８２の進行方向（つまり、「空間的特性」）は異なる。
【００５０】
　図１２（Ａ）、図１２（Ｂ）、図１２（Ｃ）及び図１２（Ｄ）は、本発明の一実施例に係わるＶＩＰＡを製造するための方法を示す。
【００５１】
　図１２（Ａ）に示すように、平行平板１６４は、望ましくはガラス製で、良い平行性を持つ。反射フィルム１６６及び１６８は、真空蒸着、イオンスパッタリングまたは他の同様な方法により平行平板１６４の両側に形成される。反射フィルム１６６及び１６８の一方は、ほぼ１００％の反射率を持ち、他方は望ましくは８０％以上で、１００％より低い反射率を持つ。
【００５２】
　図１２（Ｂ）に示すように、反射フィルム１６６及び１６８の一方は、照射窓１７０を形成するために部分的に削られている。図１２（Ｂ）において、反射フィルム１６６は、反射フィルム１６６と平行平板１６４の同じ表面上に、照射窓１７０を形成する為に削られている。しかし、代わりに、反射フィルム１６８が、平行平板１６４の反射フィルム１６８と同じ表面上に、照射窓１７０を形成する為に部分的に削られることも可能である。本発明の様々な実施例によって示すように、照射窓は平行平板１６４のどちらの側にあってもよい。
【００５３】
　反射フィルムを削ることは、エッチング処理によって行うことが可能である。しかし、機械的切削処理もまた使用でき、より安価である。しかし、反射フィルムが機械的に削られる場合、平行平板１６４への損傷を最低限にするように、平行平板１６４は注意深く処理されなければならない。例えば、照射窓を形成する平行平板１６４の一部がひどく損傷した場合、平行平板１６４は受光した入力光の散乱によって起こされる余分なロスを生成する。
【００５４】
　反射フィルムの最初の形成とその後の切削の代わりに、照射窓は予め、照射窓に対応する平行平板１６４の一部をマスキングすることにより、この部分が反射フィルムで覆われないように防止して、生成することが可能である。
【００５５】
　図１２（Ｃ）に示すように、透明接着剤１７２が反射フィルム１６６上及び、反射フィルム１６６が除かれるべき平行平板１６４の一部に用いられている。照射窓を形成する平行平板１６４の一部に透明接着剤１７２は用いられることになる為、透明接着剤１７２は、できる限り光学的欠損をおこさないようにすべきである。
【００５６】
　図１２（Ｄ）に示すように、透明防護板１７４は、反射フィルム１６６と平行平板１６４を防護するために、透明接着剤１７２上に用いられている。透明接着剤１７２は、反射フィルム１６６を除くことにより得られた窪んだ部分を満たす為に用いられているので、透明防護板１７４を平行平板１６４の最表面と平行に備えることが可能である。
【００５７】
　同様に、反射フィルム１６８を防護する為に、接着剤（不図示）は、反射フィルム１６８の最表面に用いられ、防護板（不図示）を備えるようにすべきである。
反射フィルム１６８が約１００％の反射率を持ち、かつ、平行平板１６４の同じ表面に照射窓はない場合、接着剤と防護板は必ずしも透明でなければならないわけではない。
【００５８】
　さらに、反射防止フィルム１７６は、透明防護板１７４に用いられている。例えば、透明防護板１７４及び照射窓１７０は、反射防止フィルム１７６により覆われている。
【００５９】
　上述の本発明の実施例において、焦点線は入力光が入る平行平板の表面の反対側の表面上にあるとしている。しかし、焦点線は平行平板内または照射窓の前にあってもよい。
【００６０】
　上述の本発明の実施例において、２つの反射フィルムは、１つの反射フィルムの反射率は約１００％であり、フィルム間で光を反射する。しかし、各々１００％より少ない反射率を持つ２つの反射フィルムでも、同様な効果は得られる。例えば両反射フィルムは、９５％の反射率を持ってもよい。この場合、各々の反射フィルムは、自身を透過し、干渉を起こす光を持つことになる。この結果、波長に依存する方向に進む光束は、反射フィルムが形成された平行平板の両側に形成される。このように、本発明の様々な実施例の様々な反射は、必要とされるＶＩＰＡの特性に従って容易に変えることが可能である。
【００６１】
　上述の本発明の実施例において、導波路は、平行平板もしくは２つの互いに平行な反射面によって形成されるとしている。しかし、プレートもしくは反射面は、必ずしも平行である必要はない。
【００６２】
　上述の本発明の実施例によると、ＶＩＰＡは、多重反射を用い、干渉する光の間で一定の位相差を維持する。その結果、ＶＩＰＡの特性は安定し、これにより、偏光により起こる光学的特性の変化を減少することができる。一方、従来の回折格子の光学的特性は、入力光の偏光に依存して、好ましくない変化があった。
【００６３】
　上述の本発明の実施例は、互いに「空間的に判別可能な」光束を供給する、と説明する。「空間的に判別可能」とは、光束が空間内で判別可能であることをいう。例えば、様々な光束がコリメートされて異なる方向に進む、または異なる場所に集束される場合、光束は空間的に判別可能である。しかし、本発明はこのような例に限られるものではなく、光束が互いに空間的に判別可能である、多くの他の方法が存在する。
【００６４】
　図１３は、本発明の一実施例に関わる、色分散を補償するために回折格子を用いる代わりに、ＶＩＰＡを角分散コンポーネントとして用いる装置を示す図である。図１３に示すように、ＶＩＰＡ２４０は、例えば、反射率約１００％の第一の面２４２及び、例えば、反射率約９８％の第二の面２４４を持つ。ＶＩＰＡ２４０は、また、照射窓２４７を備える。しかし、ＶＩＰＡは、この特定の構成に限定されるものではない。代わりに、ＶＩＰＡ２４０は、ここに述べるように多くの異なる構成を持つ事が可能である。
【００６５】
　図１３に示すように、入力光は、光ファイバー２４６から出力され、コリメーティング・レンズ２４８により受光され、円柱レンズ２５０により、照射窓２４７を介してＶＩＰＡ２４０に線集束される。その後、ＶＩＰＡ２４０は、集束レンズ２５２によりミラー２５４上に集束される平行光２５１を生成する。ミラー２５４は、基板２５８上に形成されるミラー部２５６であってもよい。
【００６６】
ミラー２５４は、集束レンズ２５２を介してＶＩＰＡ２４０へ光を戻す。その後、光は、ＶＩＰＡ２４０で多重反射され、照射窓２４７から出力される。照射窓２４７から出力された光は、円柱レンズ２５０とコリメーティング・レンズ２４８を介して伝播し、ファイバー２４６により受光される。
【００６７】
従って、ＶＩＰＡ２４０から出力された光は、ミラー２５４により反射され、ＶＩＰＡ２４０へ戻る。ミラー２５４により反射された光は、元に伝播したパスに対して、正確に反対の方向のパスを通って伝播する。以下でより詳細に述べるように、光の中の異なる波長成分は、ミラー２５４上の異なる場所に集束され、ＶＩＰＡ２４０へ戻される。その結果、異なる波長成分は異なる距離を伝播し、それにより、色分散を生成する。
【００６８】
図１４は、本発明の一実施例に関わる、図１３に示すＶＩＰＡの動作をより詳細に示す図である。さまざまな異なる波長成分を持つ光はＶＩＰＡ２４０により受光されると仮定する。図１４に示すように、ＶＩＰＡ２４０は、ビームウェスト２６２の虚像２６０の形成を起こす。ここで、各虚像２６０は、光を出す。
【００６９】
図１４に示すように、集束レンズ２５２は、ＶＩＰＡ２４０からの平行光内の異なる波長成分を、ミラー２５４上の異なる点に集束する。より具体的には、長い波長２６４は点２７２に集束し、中心波長２６６は点２７０に集束し、短い波長２６８は点２７４に集束する。その後、長い波長２６４は、中心波長２６６に比べ、ビームウェスト２６２に近い虚像２６０へ戻る。短い波長２６８は、中心波長２６６に比べ、ビームウェスト２６２から遠い虚像２６０へ戻る。このように、配列は正常分散を供給する。
【００７０】
ミラー２５４は、特定の干渉次数の光だけを反射するように設計され、他の干渉次数の光は、ミラー２５４の外に集束される。より具体的には、先に述べたように、ＶＩＰＡは平行光を出力する。この平行光は、ｍλの差を持つ各虚像についてのパスで、異なる方向に伝播する。ここで、ｍは整数である。干渉のｍ番目の桁は、ｍに対応する出力光として定義される。
【００７１】
例えば、図１５は、ＶＩＰＡのさまざまな干渉次数を示す図である。図１５に示すように、ＶＩＰＡ２４０のようなＶＩＰＡは、平行光２７６、２７８及び２８０を放出する。各平行光２７６、２７８及び２８０は、異なる干渉次数に対応する。
従って、例えば、平行光２７６は、（ｎ＋２）番目の干渉次数に対応する平行光であり、平行光２７８は、（ｎ＋１）番目の干渉次数に対応する平行光であり、平行光２８０は、ｎ番目の干渉次数に対応する平行光である。ここで、ｎは整数である。平行光２７６は、いくつかの波長成分２７６ａ、２７６ｂ及び２７６ｃを持つとして示されている。同様に、平行光２７８は、いくつかの波長成分２７８ａ、２７８ｂ及び２７８ｃを持つとして示され、平行光２８０は、いくつかの波長成分２８０ａ、２８０ｂ及び２８０ｃを持つとして示されている。ここで、波長成分２７６ａ、２７８ａ及び２８０ａは、同じ波長を持つ。波長成分２７６ｂ、２７８ｂ及び２８０ｂは、同じ波長（しかし、波長成分２７６ａ、２７８ａ及び２８０ａの波長と異なる波長）を持つ。波長成分２７６ｃ、２７８ｃ及び２８０ｃは、同じ波長（しかし、波長成分２７６ａ、２７８ａ及び２８０ａの波長、および、波長成分２７６ｂ、２７８ｂ及び２８０ｂの波長と異なる波長）を持つ。図１５で異なる３つの干渉次数についてだけ平行光を示したが、平行光は、多くの他の干渉次数ｍについて放出される。
【００７２】
異なる干渉次数についての同じ波長の平行光は、異なる方向へ伝播し、従って、異なる位置に集束され、ミラー２５４は、ＶＩＰＡ２４０へ１つの干渉次数からの光のみを反射させる事ができる。例えば、図１５に示すように、ミラー２５４の反射部の長さは、比較的短くすべきであり、それにより、１つの干渉次数に対応する光のみが反射される。より具体的には、図１５において、平行光２７８のみがミラー２５４により反射される。このように、平行光２７６及び２７８は、ミラー２５４の外に集束される。
【００７３】
波長分割多重光は、普通、多くのチャネルを含む。再び図１３に示すように、ＶＩＰＡの第一及び第二の面２４２及び２４４の間の厚さｔが、ある特定の値に設定された場合、配列は、各チャネルの分散を同時に補償する事が可能である。
【００７４】
より具体的には、各チャネルは中心波長を持つ。中心波長はたいてい、一定の波長間隔で区切られている。中心波長に対応する全ての波長成分が、ＶＩＰＡ２４０と同じ出力角度を持つように、そうして、ミラー２５４上の同じ集束点にを持つように、ＶＩＰＡの第一及び第二の面２４２及び２４４の間の厚さｔは、設定されるべきである。これは、中心波長に対応する波長成分によって伝播されるＶＩＰＡ２４０を介したラウンド・トリップ光路長が各チャネルの中心波長の整数倍になるように、厚さｔを各チャネルについて設定することにより、可能となる。この厚さｔの値は、この後、「ＷＤＭマッチング自由スペクトラル領域厚さ」もしくは「ＷＤＭマッチングＦＳＲ厚さ」という。
【００７５】
さらに、この場合、ＶＩＰＡ２４０を介したラウンド・トリップ光路長（２ｎｔｃｏｓθ）は、同じθについての整数及び異なる整数によって整数倍された各チャネルの中心波長に対応する波長に等しい。ここで、ｎは第一及び第二の面２４２及び２４４の間の部材の屈折率、θは、各チャネルの中心波長に対応する光束の伝播方向である。さらに具体的には、先に延べたように、θは反射面１２２及び１２４の面に対する法線から測定し、結果として得た光束の伝播方向である。
従って、各チャネルの中心波長に対応する波長成分について、２ｎｔｃｏｓθが、同じθ及び異なる整数について各チャネルの中心波長の整数倍となるようにｔが設定された場合、中心波長に対応する波長成分は、ＶＩＰＡ２４０から同じ出力角度を持ち、従って、ミラー２５４上で同じ集束位置を持つ。
【００７６】
例えば、２ｍｍの物理的長さを持つラウンド・トリップ（これは、ＶＩＰＡ２４０の厚さ１ｍｍの約２倍である）及び屈折率１．５により、１００ＧＨｚの間隔を持つ全ての波長は、この条件を満たす事になる。この結果として、ＶＩＰＡ２４０は、同時に波長分割多重光の全てのチャネルにおいて、分散を補償する事ができる。
【００７７】
従って、図１４に示すように、ＷＤＭマッチングＦＳＲ厚さに厚さｔを設定することによって、ＶＩＰＡ２４０及び集束レンズ２５２によって、（ａ）各チャネルの中心波長に対応する波長成分は、ミラー２５４上の点２７０に集束され、（ｂ）各チャネルのもっと長い波長に対応する波長成分は、ミラー２５４上の点２７２に集束され、（ｃ）各チャネルのもっと短い波長に対応する波長成分は、ミラー２５４上の点２７４に集束されることになる。従って、ＶＩＰＡ２４０は、波長分割多重光の全てのチャネルにおいて色分散を補償するために用いる事が可能である。
【００７８】
図１６は、本発明の一実施例に係わる、厚さｔがＷＤＭマッチングＦＳＲ厚さに設定された場合の、波長分割多重光のいくつかのチャネルにおいての分散の量を示すグラフである。
【００７９】
図１６に示すように、全てのチャネルは同じ分散を与えられている。しかし、チャネル間において、分散は連続していない。さらに、ＶＩＰＡ２４０が分散を補償する各チャネルについての波長領域は、ミラー２５４のサイズを適切に設定する事により、設定する事ができる。
【００８０】
厚さｔが、ＷＤＭマッチングＦＳＲ厚さに設定されていない場合、波長分割多重光の異なるチャネルは、ミラー２５４上の異なる点に集束される。例えば、厚さが、ラウンド・トリップ光路長の１／２、１／３もしくは他の分数である場合、各チャネルは異なる点に集束されて、２つ、３つ、４つもしくはそれ以上の集束点が、同じミラー上に集束される。また、偶数チャネルからの光はミラー２５４の同じ点に集束される。より具体的には、厚さが、ラウンド・トリップ光路長の１／２である場合、奇数チャネルからの光は同じミラー上の同じ点に集束される。しかし、偶数チャネルからの光は、奇数チャネルと異なる点に集束される。
【００８１】
例えば、図１７は、ミラー２５４上の異なる点に集束された異なるチャネルを示す図である。図１７に示すように、偶数チャネルの中心波長の波長成分は、ミラー２５４上の１点に集束され、奇数チャネルの中心波長の波長成分は、異なる点に集束される。その結果、ＶＩＰＡ２４０は、適切に波長分割多重光の全てのチャネルにおいて同時に色分散を補償するために用いる事ができる。
【００８２】
ＶＩＰＡによって加えられる分散の値を変えるための方法はいくつかある。例えば、図１８は、本発明の一実施例に係わる、光に可変分散を与えるためにＶＩＰＡを用いる装置の側面図である。図１８に示すように、ＶＩＰＡ２４０は、各干渉次数に異なる角分散を与える。従って、異なる干渉次数に対応する光がミラー２５４上に集束されて、ＶＩＰＡ２４０に反射されて戻るように、ＶＩＰＡ２４０を回転もしくは移動させる事により、光信号に加えられる分散の量を変化させる事ができる。
【００８３】
図１９は、本発明の別の実施例に係わる、可変分散を与えるためにＶＩＰＡを用いる装置の側面図である。図１９に示すように、集束レンズ２５２とミラー２５４の間の相対距離は一定に維持され、集束レンズ２５２とミラー２５４は、ＶＩＰＡ２４０に対して一緒に移動する。この集束レンズ２５２とミラー２５４の移動により、ミラー２５４からＶＩＰＡ２４０へ戻る光のシフトを変化させ、それにより、分散を変化させる事ができる。
【００８４】
図２０（Ａ）及び２０（Ｂ）は、本発明のさらなる実施例に係わる、光にさまざまな値の色分散を与えるためにＶＩＰＡを用いる装置の側面図である。図２０（Ａ）及び２０（Ｂ）が、ビームウェスト２６２の虚像２６０によって放出される光の長い波長２６４、中心波長２６６及び短い波長２６４の伝播方向を示す点において、図２０（Ａ）及び２０（Ｂ）は、図１４に似ている。
【００８５】
図２０（Ａ）に示すように、ミラー２５４は凸面鏡である。凸面鏡を用いて、ビームシフトは拡大される。短いレンズ焦点距離及び小さなスペースで大きな色分散を得る事ができる。ミラー２５４が凸である場合、図２０（Ａ）に示すように、一般的に凸型は側面からしか見る事ができず、正面から見た場合はわからない。
【００８６】
図２０（Ｂ）に示すように、ミラー２５４は凹面鏡である。凹面鏡を用いて、分散の符号は逆転される。従って、短いレンズ焦点距離及び小さなスペースで異常分散を得る事ができる。ミラー２５４が凹である場合、図２０（Ｂ）に示すように、一般的に凹型は側面からしか見る事ができず、正面から見た場合はわからない。
【００８７】
正面から見た場合、ミラー２５４は、凸でも凹でもよい。従って、ミラーは、「１次元」ミラーであるという事になる。
【００８８】
図２０（Ａ）及び２０（Ｂ）において、ミラー２５４は、集束レンズ２５２の焦点もしくは焦点付近に位置する。
【００８９】
図２１は、本発明のさらなる実施例に係わる、光に可変分散を与えるためにＶＩＰＡを用いる装置の側面図である。図２１に示すように、集束レンズ２５２及びミラー２５４は、再帰反射器２８２に置き換えられている。再帰反射器２８２は２つもしくは３つの反射面を持ち、入射光を伝播方向と、反対の方向に反射することが望ましい。再帰反射器２８２の使用により、ＶＩＰＡ−再帰反射器の配列は、異常分散を与える。さらに、再帰反射器２８２は、ＶＩＰＡ２４０に対して動く事ができ、分散の量を変化させる。
【００９０】
図２２は、本発明の一実施例に係わる、サーキュレーターと組み合わせた、図１３の装置の平面図である。図２２に示すように、サーキュレーター２８４は、入力ファイバー２８６から入力光を受光し、入力光をコリメーティング・レンズ２４８に供給する。ミラー２５４により反射され、ＶＩＰＡ２４０を介して戻った出力光は、サーキュレーター２８４により受光され、出力ファイバー２８８に供給される。図２２において、集束レンズ２５２は、「通常」集束レンズである。ここで、通常集束レンズは、集束レンズの上面及び側面からみて、光を集束する集束レンズをいう。
【００９１】
図２３は、本発明の別の実施例に係わる、光に分散を加えるためにＶＩＰＡを用いる装置の平面図である。図２３に示すように、円柱レンズ２９０はＶＩＰＡ２４０からミラー２５４へ出力された光を線集束する。（図２３に示すように）正面からみて、ミラー２５４は少し傾斜している。入力ファイバー２９２が、入力光をコリメーティング・レンズ２４８に供給し、出力ファイバー２９４は、ミラー２５４により反射され、ＶＩＰＡ２４０を介して戻る光を受光する。従って、円柱レンズ２９０及びミラー２５４を用いることにより、（図２２に示すサーキュレーター２８４のような）サーキュレーターを使う必要がなくなる。
【００９２】
上述の本発明の実施例に係わるＶＩＰＡは、回折格子よりずっと大きな角分散を与える。従って、ここに述べたＶＩＰＡは、図６（Ａ）及び図６（Ｂ）に示す空間格子対配列よりも、ずっと大きな色分散を補償する事ができる。
【００９３】
上述の本発明の実施例において、ミラーは光をＶＩＰＡ２４０へ反射して戻すために用いられる。このため、ミラーは光をＶＩＰＡ２４へ戻す「光返送装置」という。しかし、本発明はミラーの使用を光返送装置としてもちいることに限定するものではない。例えば、（ミラーの代わりに）プリズムを、光をＶＩＰＡ２４０へ戻す光返送装置として用いる事が可能である。さらに、ミラー及び／もしくはプリズムもしくはレンズのさまざまな組み合わせの装置が、光をＶＩＰＡへ戻す光返送装置として用いる事が可能である。
【００９４】
上述の本発明の実施例において、ＶＩＰＡは光を反射する反射フィルムを持つ。例えば、図８は、光を反射する、反射フィルム１２２及び１２４を持つＶＩＰＡ７６を示す。しかし、ＶＩＰＡについて、反射面を与えるために「フィルム」を使用することに限定するものではない。代わりに、ＶＩＰＡは、ただ、適切な反射面をもつ必要があるだけであり、これらの反射面は、「フィルム」によって形成されてもよいし、また形成されなくてもよい。
【００９５】
さらに、上述の本発明の実施例において、ＶＩＰＡは、多重反射がその内部で起こる、透過性のガラスプレートを備える。例えば、図８は反射面をその上に持つ透過性のガラスプレート１２０を持つＶＩＰＡ７６を示す。しかし、ＶＩＰＡについて、反射面を隔てるために、ガラス部材もしくはあらゆる対応の「プレート」の使用に限定するものではない。代わりに、ある種のスペーサーによって反射面は互いに隔たって維持される必要があるだけである。例えば、ＶＩＰＡの反射面は、その間にガラスプレートを持たないで、「空気」によって隔てられる事も可能である。従って、反射面は、例えば、光学ガラスもしくは空気のような、透過性の材質によって隔てられていると述べる事が可能である。
【００９６】
上述したように、ＶＩＰＡの動作は、ＶＩＰＡの反射面間の図材の厚さと屈折率に敏感である。さらに、ＶＩＰＡの操作波長は、ＶＩＰＡの温度をコントロールする事によって、微調整可能である。
【００９７】
　さらに具体的に、図２４は、本発明の一実施例に係わる、ＶＩＰＡの温度を制御するための制御装置を示す。図２４に示すように、ＶＩＰＡ３００は出力光３０２を生成する。温度センサー３０４はＶＩＰＡ３００の温度を検出する。検出された温度に基づき、制御装置３０４は、ＶＩＰＡ３００の動作波長を調節するためにＶＩＰＡ３００の温度を制御する、加熱／冷却部３０８を制御する。
【００９８】
例えば、ＶＩＰＡの温度の上昇及び低下は、出力光３０２の出力角度を若干変化させる。さらに、入力光の特定の波長に対応する出力光は、ＶＩＰＡ３００から正確な出力角度で出力されなければならない。従って、出力光３０２が正確な角度で正確に出力され、安定するように、制御装置３０６は、ＶＩＰＡ３００の温度を調節する。
【００９９】
　上述の本発明の実施例によると、装置は、ＶＩＰＡを色分散を補償するために用いる。この目的のため、本発明の実施例は特定のＶＩＰＡの構成に限定されるものではない。代わりに、ここに述べた、もしくは参照としてここに添付した米国出願番号０８／６８５，３６２において開示した、どのＶＩＰＡの構成も、色分散を補償するための装置で用いる事が可能である。例えば、ＶＩＰＡは、照射窓を持ってもよいし、持たなくてもよい。また、ＶＩＰＡのさまざまな面の反射率は、いかなる特定の例に限定するものではない。
【０１００】
いくつかの本発明の実施例が示され、説明されたが、当業者よれば、発明の原理及び精神、請求項に記述される範囲およびその均等物から離れる事なく、これら実施例に変更を加える事は可能であると理解されるであろう。
【図面の簡単な説明】
【０１０１】
発明のこれらおよび他の目的および利点は、明確であるが、添付された図面とともに以下の実施例の説明からより明確になる。
【図１】（Ａ）は、従来のファイバー光通信システムを示す図であり（従来技術）、（Ｂ）は、従来のファイバー光通信システムにおいて、ファイバーを介して送信する前のパルスを示す図であり、（Ｃ）は、従来のファイバー光通信システムにおいて、ファイバーを介して送信された後のパルスを示す図である。
【図２】色分散を補償するために逆分散コンポーネントを持つ従来のファイバー光通信システムを示す図である（従来技術）。
【図３】逆分散コンポーネントとして分散補償ファイバーを持つ従来のファイバー光通信システムを示す図である（従来技術）。
【図４】色分散を補償するために、逆分散コンポーネントとして用いられるチャープ格子を示す図である（従来技術）。
【図５】従来の回折格子を示す図である（従来技術）。
【図６】（Ａ）は、異常分散を生成するための空間格子対配列を示す図であり（従来技術）、（Ｂ）は、正常分散を生成するための空間格子対配列を示す図である（従来技術）。
【図７】本発明の一実施例に係わる、ＶＩＰＡを示す図である。
【図８】本発明の一実施例に係わる、図７に示すＶＩＰＡの詳細を示す図である。
【図９】本発明の実施例に係わる、図７に示すＶＩＰＡのＩＸ−ＩＸ線にそった横断面を示す図である。
【図１０】本発明の一実施例に係わる、ＶＩＰＡによって生成された反射光間の干渉を示す図である。
【図１１】入力光の傾斜角度を決定するために、本発明の一実施例に係わる、図７に示すＶＩＰＡのＩＸ−ＩＸ線にそった横断面を示す図である。
【図１２】（Ａ）、（Ｂ）、（Ｃ）及び（Ｄ）は、本発明の一実施例に係わる、ＶＩＰＡを製造する方法を示す図である。
【図１３】本発明の一実施例に係わる、色分散を生成するための角分散コンポーネントとしてＶＩＰＡを用いる装置を示す図である．
【図１４】本発明の一実施例に係わる、図１３に示す装置の動作を詳細に示す図である。
【図１５】本発明の一実施例に係わる、ＶＩＰＡのさまざまな干渉次数を示す図である。
【図１６】本発明の一実施例に係わる、波長分割多重光の数チャネルに対する色分散を示すグラフである。
【図１７】本発明の一実施例に係わる、ＶＩＰＡによってミラー上の異なる点に集束された波長分割多重光の異なるチャネルを示す図である。
【図１８】本発明の一実施例に係わる、可変な色分散を光に与えるためにＶＩＰＡを用いる装置の側面図である。
【図１９】本発明のさらなる実施例に係わる、可変な色分散を光に与えるためにＶＩＰＡを用いる装置の側面図である。
【図２０】（Ａ）及び（Ｂ）は、本発明のさらなる実施例に係わる、色分散を光に与えるためにＶＩＰＡを用いる装置の側面図である。
【図２１】本発明のさらに別の実施例に係わる、可変分散を光に与えるためにＶＩＰＡを用いる装置の側面図である。
【図２２】本発明の一実施例に係わる、サーキュレーターと組み合わせた、図１３に示す装置の平面図である。
【図２３】本発明の一実施例に係わる、ＶＩＰＡを用いる装置の平面図である。
【図２４】本発明のさらに別の実施例に係わる、ＶＩＰＡの温度を制御するための制御装置を示す図である。
【図１】
2004093561.tif 000003
【図２】
2004093561.tif 000004
【図３】
2004093561.tif 000005
【図４】
2004093561.tif 000006
【図５】
2004093561.tif 000007
【図６】
2004093561.tif 000008
【図７】
2004093561.tif 000009
【図８】
2004093561.tif 000010
【図９】
2004093561.tif 000011
【図１０】
2004093561.tif 000012
【図１１】
2004093561.tif 000013
【図１２】
2004093561.tif 000014
【図１３】
2004093561.tif 000015
【図１４】
2004093561.tif 000016
【図１５】
2004093561.tif 000017
【図１６】
2004093561.tif 000018
【図１７】
2004093561.tif 000019
【図１８】
2004093561.tif 000020
【図１９】
2004093561.tif 000021
【図２０】
2004093561.tif 000022
【図２１】
2004093561.tif 000023
【図２２】
2004093561.tif 000024
【図２３】
2004093561.tif 000025
【図２４】
2004093561.tif 000026